(57)【要約】【課題】  ケーブルの接続検査を機械化して検査作業の品質を向上させる。【解決手段】  レセプタクルとプラグの結合により、各々に貼付された無線タグ１００、２００が同時に結合され、無線タグ１００、２００に保持されているレセプタクルとプラグ双方のロケーション情報をセットで外部へ発信する。レセプタクル、または、プラグに貼付された無線タグ１００、２００から発信されたレセプタクルとプラグのロケーション情報を分離し、双方が同値か否かで、ケーブル接合関係の正誤を判定する。【選択図】      図１
2006260980.tif 000002
【特許請求の範囲】
【請求項１】
レセプタクルとプラグの結合により、各々に貼付された無線タグが同時に結合され、無線タグに保持されているレセプタクルとプラグ双方のロケーション情報をセットで外部へ発信することを特徴とする製造検査システム。
【請求項２】
レセプタクル、または、プラグに貼付された無線タグから発信されたレセプタクルとプラグのロケーション情報を分離し、双方が同値か否かで、ケーブル接合関係の正誤を判定することを特徴とする製造検査システム。
【発明の詳細な説明】
【技術分野】
【０００１】
本発明は製造検査システムに関し、特に、装置とケーブルにおける接続組み合わせの正誤を検査する製造検査システムに関する。
【背景技術】
【０００２】
従来、コンピュータシステムを起動させずに、装置とケーブルにおける接続組み合わせの正誤を検査する手段としては、ケーブルのプラグおよび装置のレセプタクルに貼付されたロケーションラベルに印字しているロケーション情報の一致を、作業者が目視で確認することにより行っていた。
【発明の開示】
【発明が解決しようとする課題】
【０００３】
上述した従来の製造検査システムの場合、作業者の不注意等による検査ミスが発生する可能性があった。
【０００４】
本発明の目的は、ケーブルの接続検査を機械化して検査作業の品質を向上させる製造検査システムを提供することにある。
【課題を解決するための手段】
【０００５】
本発明の製造検査システムは、レセプタクルとプラグの結合により、各々に貼付された無線タグが同時に結合され、無線タグに保持されているレセプタクルとプラグ双方のロケーション情報をセットで外部へ発信することを特徴とする。
【０００６】
本発明の製造検査システムは、レセプタクル、または、プラグに貼付された無線タグから発信されたレセプタクルとプラグのロケーション情報を分離し、双方が同値か否かで、ケーブル接合関係の正誤を判定することを特徴とする。
【発明の効果】
【０００７】
第１の効果は、ケーブルの接続検査が機械化でき、検査作業の品質を向上できることにある。
【０００８】
第２の効果は、無線タグを利用することで、同時に複数の接続検査が可能となり、検査作業の効率が向上することにある。
【発明を実施するための最良の形態】
【０００９】
本発明を実施するための最良の形態について図面を参照して詳細に説明する。
【００１０】
本発明の製造検査システムは、以下の手段を有する。
（１）装置のレセプタクル、および、ケーブルのプラグに対し、各々、装置のレセプタクルのロケーション情報、プラグを接続すべきレセプタクルのロケーション情報を保持する手段。
（２）（１）で保持しているロケーション情報を外部へ送信する手段。特に、レセプタクルとプラグが結合している場合、各ロケーション情報を、セットで外部へ送信する手段。
（３）（２）で送信されたロケーション情報を受信し、レセプタクルとプラグのロケーション情報をセットにしたものでであれば、それらを個々にセパレートする手段。
（４）（３）で取得したロケーション情報から、装置のレセプタクルとケーブルのプラグとの結合組み合わせが正しいか判定し、検査作業者に通知する手段。
【００１１】
図１は本発明の実施の形態の構成を示すブロック図である。  図１を参照すると、本発明の実施の形態は、装置のレセプタクルに貼付された無線タグ１００、ケーブルのプラグに貼付された無線タグ２００、および、ケーブル接続正誤判定装置３００を含む。
【００１２】
レセプタクルに貼付された無線タグ１００は、アンテナ１０１、符号部１０２、制御部１０３、メモリ部１０４を含む。
【００１３】
プラグに貼付された無線タグ２００は、アンテナ２０１、符号部２０２、制御部２０３、メモリ部２０４を含む。
【００１４】
ケーブル接続正誤判定装置３００は、アンテナ３０１、復号部３０２、制御部３０３、表示部３０４、接続対象ロケーション情報３０５を含む。
【００１５】
これらの手段はそれぞれ概略つぎのように動作する。
【００１６】
アンテナ１０１は、ケーブル接続正誤判定装置３００から送信される電磁波を受けると制御部１０３へ電力を供給し、制御部１０３を起動する。また、符号化されたロケーション情報を電磁波（搬送波）としてケーブル接続正誤判定装置３００へ送信する。
【００１７】
符号部１０２は、制御部１０３から受信したロケーション情報を符号化し、アンテナ１０１へ送信する。
【００１８】
制御部１０３は、無線タグ１００のロケーション情報をメモリ部１０４から取得する。また、制御部１０３は、無線タグ２００とのインターフェースを有しており、無線タグ１００と無線タグ２００が結合した状態では、制御部２０３から無線タグ２００のロケーション情報を取得する。取得したロケーション情報は、符号部１０２へ送信する。無線タグ２００と結合している場合は、無線タグ２００から取得したロケーション情報を無線タグ１００のロケーション情報とセットにして符号部１０２へ送信する。
【００１９】
メモリ部１０４は、装置のレセプタクルのロケーション情報を保持しており、制御部１０３にそのロケーション情報を送信する。
【００２０】
アンテナ２０１は、ケーブル接続正誤判定装置３００から送信される電磁波を受けると制御部２０３へ電力を供給し、制御部２０３を起動する。また、符号化されたロケーション情報を電磁波（搬送波）としてケーブル接続正誤判定装置３００へ送信する。
【００２１】
符号部２０２は、制御部２０３から受信したロケーション情報を符号化し、アンテナ２０１へ送信する。
【００２２】
制御部２０３は、無線タグ２００のロケーション情報をメモリ部２０４から取得する。また、制御部２０３は、無線タグ１００とのインターフェースを有しており、無線タグ２００と無線タグ１００が結合した状態では、制御部１０３から無線タグ１００のロケーション情報を取得する。取得したロケーション情報は、符号部２０２へ送信する。無線タグ１００と結合している場合は、無線タグ１００から取得したロケーション情報を無線タグ２００のロケーション情報とセットにして符号部２０２へ送信する。
【００２３】
メモリ部２０４は、ケーブルのプラグが接続されるべきレセプタクルのロケーション情報を保持しており、制御部２０３にそのロケーション情報を送信する。
【００２４】
アンテナ３０１は、無線タグ１００または無線タグ２００へ電力供給するための電磁波を送信するとともに、無線タグ１００または無線タグ２００からのロケーション情報を電磁波（搬送波）として受信する。
【００２５】
復号部３０２は、アンテナ３０１にて受信したロケーション情報を複合化する。
【００２６】
制御部３０３は、復号部３０２から受信したロケーション情報がセットにしたものであればセパレートし、かつ、各々が同値ならレセプタクルとプラグの結合は正しい、異値なら誤りと判定する。ロケーション情報が単一、つまり、セットにしていないものである場合は、レセプタクルがプラグ接続の対象か否かを判断する為、接続対象ロケーションに当該レセプタクルのロケーション情報が含まれているかチェックする。含まれていれば、接続関係は誤り、含まれていない場合は、接続関係は正しいと判定する。判定結果とロケーション情報を表示部３０４へ送信する。
【００２７】
表示部３０４は、制御部３０３にて判定したロケーション情報とその判定結果をセットで検査作業者へ表示する。
【００２８】
接続対象ロケーション情報３０５は、ケーブル接続の対象となっている装置レセプタンスのロケーション情報が保持されている。
【００２９】
次に、本発明を実施するための最良の形態の動作について図面を参照して説明する。図２はケーブル接続イメージ図であり、装置のレセプタクルとケーブルのプラグの結合前（ａ）、結合後（ｂ）を示している。図２を参照して動作概要を説明する。
【００３０】
装置のレセプタクルには無線タグ１００が、ケーブルのプラグには無線タグ２００が貼付されており、レセプタクルとプラグの結合により、無線タグ１００と無線タグ２００も結合できる様、双方がインターフェースを有している。
【００３１】
結合前の状態（ａ）では、無線タグ１００に対し、ケーブル接続正誤判定装置３００にて正誤判定するとレセプタクルのロケーション情報（”Ｘ０１２”）のみ取得され、プラグは結合されていないと判断されることから、この結合関係（結合していない状態）は誤りと判定する。一方、結合後の状態（ｂ）では、ケーブル接続正誤判定装置３００は、無線タグ１００からレセプタクルとプラグのロケーション情報がセットにした状態で、例えば、マージした形（”Ｘ０１２−Ｘ０１２”）で取得する。それをセパレータ（”−”）で各々のロケーション情報にセパレート（”Ｘ０１２”、”Ｘ０１２”）を行い、双方のロケーション情報を比較して同値であることが確認できれば、結合関係は正しいと判定される。
【００３２】
次に、図１の無線タグ、ケーブル接続正誤判定装置  システムブロック図を参照して本発明の実施の形態で、レセプタクルとプラグの結合状態時での動作について詳細を説明する。
【００３３】
装置のレセプタクルに貼付されている無線タグ１００のアンテナ１０１は、ケーブル接続正誤判定装置３００から送信される電磁波を受け、制御部１０３へ電力を供給することで、制御部１０３を起動する。制御部１０３は、レセプタクルのロケーション情報をメモリ部１０４から取得するとともに、結合している無線タグ２００からプラグが接続すべきレセプタクルのロケーション情報を制御部２０３を経由して取得し、先にメモリ部１０４から取得したロケーション情報と、例えば、セパレータでマージすることでセットにして、符号部１０２へ送信する。符号部１０２は、制御部１０３から送信されたロケーション情報を符号化し、アンテナ１０１へ送信する。アンテナ１０１は、ケーブル接続正誤判定装置３００へロケーション情報を送信する。
【００３４】
ケーブル接続正誤判定装置３００は、無線タグ１００から受信したロケーション情報を電磁波（搬送波）として受信し、復号部３０２へ送信する。復号部３０２は、アンテナ３０１から受信したロケーション情報を複合化し、制御部３０３へ送信する。制御部３０３では、複合化されたロケーション情報を解析し、セパレータが含まれていれば、個々のロケーション情報にセパレートする。更にセパレートされたロケーション情報の値が等しいか確認し、等しければレセプタクルとプラグの結合関係は正しい、等しくなければ誤りと判定する。また、制御部３０３が取得したロケーション情報にセパレータが含まれない場合（この場合、レセプタクルにはプラグが結合されていない状態を意味する）、ケーブル接続対象外である場合も考えられるので、接続対象ロケーション情報３０５に保持されているケーブル接続対象ロケーション情報の何れかに一致するか確認する。もし一致すれば、ケーブル接続対象にもかかわらず、ケーブルのプラグが結合されていないと言う事になり、結合関係は誤り、全く一致しなければ、結合関係は正しいと判定する。表示部３０４は、制御部３０３の判定結果、および、そのロケーション情報をディスプレイに表示し、ケーブルの接続作業の正誤を示す。
【００３５】
本発明は、ケーブルのプラグと装置のレセプタクルが正しい組み合わせで接続されているか検査する際に、プラグに保持された接続すべきレセプタクルのロケーション情報と、実際に接続されたレセプタクルのロケーション情報を取得し、それらを比較することで、ケーブル接続の組み合わせ正誤を機械的に判定できる。
【図面の簡単な説明】
【００３６】
【図１】本発明の実施の形態の構成を示すブロック図である。
【図２】ケーブル接続イメージ図である。
【符号の説明】
【００３７】
１００    無線タグ
１０１    アンテナ
１０２    符号部
１０３    制御部
１０４    メモリ部
２００    無線タグ
２０１    アンテナ
２０２    符号部
２０３    制御部
２０４    メモリ部
３００    ケーブル接続正誤判定装置
３０１    アンテナ
３０２    復号部
３０３    制御部
３０４    表示部
３０５    接続対象ロケーション情報
【図１】
2006260980.tif 000003
【図２】
2006260980.tif 000004